(57)【要約】      （修正有）【課題】より簡単にベビーカーのハンドルを握り易くすることができ、かつ、清潔さを保つことができるグリップカバーを提供する。【解決手段】ベビーカーのグリップカバーは、棒状の部材に巻き付け可能な薄面状の巻き付け部と、前記巻き付け部を棒状部材に巻き付けた際に、相互に向き合わせられる対向部と、前記対向部に設けられている面ファスナーと、を備える。また、グリップカバーの素材には、例えば、ウェットスーツの素材として利用されている弾力性のある伸縮自在な素材を用いる。具体的には、ポリクロロプレンゴム製の面状素地の両面に、伸縮性の高いニット地などを貼り合わせた両面ジャージを用いる。このような素材は、例えば、３ｍｍ〜１０ｍｍ程度の厚みに形成されている。【選択図】図１
0003175226.tif 000002
【実用新案登録請求の範囲】
【請求項１】
棒状の部材に巻き付け可能な薄面状の巻き付け部と、
前記巻き付け部を棒状部材に巻き付けた際に、相互に向き合わせられる対向部と、
前記対向部に設けられている面ファスナーと、
を備えることを特徴とするベビーカーのグリップカバー。
【請求項２】
請求項１に記載のベビーカーのグリップカバーは、伸縮自在で弾力性を有する両面ジャージから形成されている
ことを特徴とするベビーカーのグリップカバー。
【請求項３】
請求項２に記載のベビーカーのグリップカバーは、抗菌処理が施されていること
を特徴とするベビーカーのグリップカバー。
【請求項４】
請求項１〜３のいずれか一項に記載のベビーカーのグリップカバーであって、
前記巻き付け部の一端には、前記棒状部材に被せられる袋状の部材が取り付けられている
ことを特徴とするベビーカーのグリップカバー。
【考案の詳細な説明】
【技術分野】
【０００１】
本考案は、ベビーカーのグリップカバーに関する。
【背景技術】
【０００２】
ベビーカーには、前進、後進などを行う際に車体をコントロールするためのハンドルが備わっている。
【考案の概要】
【考案が解決しようとする課題】
【０００３】
通常、ハンドルの持ち手部は、プラスチックや金属などの堅い素材で形成されているため、手触りが悪く、握り難い。また、持ち手部は直接手で握られるため、非常に汚れ易く、清潔にしておくことが難しい。
【０００４】
そこで、本考案は、より簡単にベビーカーのハンドルを握り易くすることができ、かつ、清潔さを保つことができるグリップカバーの提供を目的とする。
【課題を解決するための手段】
【０００５】
上記課題を解決するために、本考案に係るグリップカバーは、棒状の部材に巻き付け可能な薄面状の巻き付け部と、前記巻き付け部を棒状部材に巻き付けた際に、相互に向き合わせられる対向部と、前記対向部に設けられている面ファスナーと、
を備える。
【考案の効果】
【０００６】
本考案に係るグリップカバーによれば、より簡単にベビーカーのハンドルを握り易くすることができ、かつ、清潔さを保つことができる。
【図面の簡単な説明】
【０００７】
【図１】本考案の一実施形態に係るベビーカーのハンドルおよび持ち手部分を示した図である。
【図２】本考案の一実施形態に係るグリップカバーの側面図である。
【図３】本考案の一実施形態に係るグリップカバーを視点Ａから見た図である。
【図４】本考案の一実施形態に係るグリップカバーを視点Ｂから見た図である。
【図５】本考案の他の実施形態に係るベビーカーのハンドルおよび持ち手部分を示した図である。
【図６】本考案の他の実施形態に係るグリップカバーの表裏面を示した図である。
【図７】本考案の他の実施形態に係るグリップカバーの斜視図である。
【考案を実施するための形態】
【０００８】
以下、本考案の一実施形態について図面を用いて説明する。
【０００９】
図１は、本実施形態に係るグリップカバーを装着するベビーカーのハンドルおよび持ち手部分１０を示した図である。グリップカバーは、持ち手部分１０に被せて使用する。
【００１０】
図２は、グリップカバー２０を示した図である。グリップカバー２０は、袋状に縫い合わせられたグリップ部２１と、グリップ部２１の一端に取り付けられる固定部２２とを有している。グリップ部２１は、ハンドルに装着した際に手で握られる部分に相当する。また、固定部２２は、棒状のハンドルに巻き付けられて、グリップカバー２０をハンドルに固定する役割を果たす。そのため、固定部２２は所定の固定機構を備えている。
【００１１】
また、グリップカバー２０は、グリップ部２１と固定部２２とが所定の角度θ（例えば、θ＝１２０°）となるように縫い合わせられ、くの字形に形成される。なお、かかる角度は、対象となるベビーカーのハンドル形状に応じて適宜設定されればよい。また、袋状になっている内部空間の大きさは、対象となるハンドル太さに応じて適宜設定されればよい。
【００１２】
また、グリップカバー２０の素材には、例えば、ウェットスーツの素材として利用されている弾力性のある伸縮自在な素材が用いられる。具体的には、ポリクロロプレンゴム製の面状素地の両面に、伸縮性の高いニット地などを貼り合わせた両面ジャージが用いられる。このような素材は、例えば、３ｍｍ〜１０ｍｍ程度の厚みに形成されている。
【００１３】
このような素材を用いることにより、グリップカバー２０は、ハンドルの持ち手部分１０にぴったりと隙間無く被さり、ずれ動くことがない。また、かかる素材は弾力性に優れているため、クッションのような柔らかな握り心地を与える。また、手に触れるニット地が滑り止めの効果を発揮する。また、グリップカバー２０は所定の厚みを有するため、装着によりハンドルの持ち手部分を太くして握り易くすることができる。
【００１４】
また、グリップカバー２０の素材は洗濯機などで簡単に洗濯できるため、常に清潔に保つことができる。
【００１５】
また、かかる素材に周知の方法で抗菌処理を施しても良い。ベビーカーに乗せた子供を手の雑菌から守ることができる。
【００１６】
図３は、図２の視点Ａから見たグリップカバー２０を示した図である。図示するように、グリップ部の一端２３は縫合により閉じられて袋状になっており、固定部２２に縫合される他端２４は開口している。このように、先端を閉じることで、ハンドルに装着した際、グリップカバー２０が持ち手部分１０から下方向にずれ落ちてこないようになっている。
【００１７】
固定部２２は、一端２５がグリップ部２１と縫合され、他端２６に向かって開閉可能な袋状に形成されている。また、固定部２２は、面ファスナーによる固定機構を有している。なお、面ファスナーには、マジックテープ（商標）と呼ばれるものを使用できる。
【００１８】
図示するように、固定機構は、開閉部２７の布片Ａの内側面にフック部２８が縫い付けられ、布片Ｂの内側面にループ部２９が縫い付けられている。なお、布片Ａにループ部が、布片Ｂにフック部が縫い付けられても良い。
【００１９】
図４は、図３の視点Ｂから見た開閉部２７の断面を示した図である。固定部２２がハンドルに巻き付けられると、フック部２８とループ部２９とは相互に向き合わせられる位置関係となり、両者が重なると相互に張り付くようになっている。したがって、開閉部２７を閉じることによりフック部２８とループ部２９とが貼り付くと、布片Ａと布片Ｂとが繋ぎ合わせられ、グリップカバー２０をハンドルの持ち手部分１０にしっかりと固定することができる。
【００２０】
また、固定機構が開閉部２７の内側面に取り付けられているため、開閉部２７を開くだけでフック部２８とループ部２９とが引き剥がされ、簡単にハンドルからグリップカバー２０を取り外すことができる。
【００２１】
このようなグリップカバーによれば、より簡単にベビーカーのハンドルを握り易くすることができ、かつ、清潔さを保つことができる。しかも、固定機構が開閉部の内側面に取り付けられていることから、開閉部の開閉動作に応じて、グリップカバーを簡単に取り付けたり、取り外したりすることができる。
【００２２】
以上、本実施形態に係るグリップカバーについて説明した。なお、本考案は本実施形態に限られるものではない。図５は、第二実施形態に係るグリップカバーを装着するベビーカーのハンドルおよび持ち手部分３０を示した図である。グリップカバーは、ベビーカーの持ち手部分３０に被せて使用される。
【００２３】
図６（ａ）は、第二実施形態に係るグリップカバー４０の表面側を示した図である。また、図６（ｂ）は、かかるグリップカバー４０の裏面側を示した図である。図示するように、グリップカバー４０は矩形の本体部４１を有し、表面側の一端には面ファスナーのループ部４２が縫い付けられている。また、裏面側の他端には、面ファスナーのフック部４３が縫い付けられている。このような面ファスナーは、グリップカバー４０の固定機構を構成している。
【００２４】
グリップカバー４０の素材には、前述の実施形態と同様に、ウェットスーツの素材として利用されている弾力性のある伸縮自在な素材が用いられる。ただし、本実施形態の素材には、ポリクロロプレンゴム製の面状素地の片面（グリップカバー４０の表面側）だけに、伸縮性の高いニット地などを貼り合わせた片面ジャージを用いる。なお、両面ジャージを用いてグリップカバー４０を形成しても良い。
【００２５】
図７は、グリップカバー４０を丸めた状態を示した図である。図示するように、グリップカバー４０の本体部４１を持ち手部分３０の形状に合わせて巻き付けると、表面側のループ部４２と裏面側のフック部４３とが相互に向き合わせられることになる。この状態で、ループ部４２とフック部４３とが重ね合わせられると、相互に貼り付き、グリップカバー４０の一端と他端とが繋ぎ合わせられた筒型の状態で、ハンドルの持ち手部分３０にしっかりと装着、固定される。
【００２６】
このようなグリップカバー４０は、両端が面ファスナーといった簡易な固定機構で固定されているため、ループ部４２とフック部４３とを引き剥がすことにより、簡単にグリップカバー４０をハンドルから取り外すことができる。
【００２７】
また、このようなグリップカバー４０は、ハンドルの持ち手部分３０だけではなく、ガード部分５０に装着されて用いられても良い。ベビーカーに乗っている子供がガード部分５０を掴む場合に握り易く、かつ、清潔さを保つことができる。
【００２８】
以上の通り、前述の実施形態に係るグリップカバーによれば、ベビーカーのハンドルの汚れを防止できる。また、ガード部分の汚れを防止できる。また、ハンドル部にウレタン材が被せてある場合、これの痛みや劣化を防止できる。また、例えば、同じような色味をしたハンドルのベビーカーが並んでいる場合、グリップカバーが装着されていることにより、より簡単に見分けることができる。
【００２９】
また、グリップカバーを装着することにより、ベビーカーのデザイン性を向上させることができる。また、グリップカバーは、面ファスナーにより簡単に取り外しが可能である。
【符号の説明】
【００３０】
２０・・・グリップカバー、２１・・・グリップ部、２２・・・固定部、
２７・・・開閉部、２８・・・フック部、２９・・・ループ部
【図１】
0003175226.tif 000003
【図２】
0003175226.tif 000004
【図３】
0003175226.tif 000005
【図４】
0003175226.tif 000006
【図５】
0003175226.tif 000007
【図６】
0003175226.tif 000008
【図７】
0003175226.tif 000009